(57)【要約】洗浄水圧力およびスプリング力により動作する隠された直腸洗浄装置(A)又はビデ(B)内に、一つの円筒状の下部本体(15)およびこれにリンクされる一つの円筒状上部本体(2)があり、下部本体(15)内に直腸洗浄パイプ(16)及び/又はビデパイプ(39)があり、水圧により前方に移動して洗浄が能動化される。洗浄動作後に、直腸洗浄パイプ(16)又はビデパイプ(39)を後方に移動して受動モードにするためのスプリング(6)またはビデ圧力スプリング(40)も備えられる。更に直腸洗浄装置(A)またはビデ(B)は、一つのシールリング(5)、一つの可動ストッパー(3)、一つのOリング(10)、一つのガスケット(18)及び洗浄パイプ(16)にリンクした一つ以上の出口ノズル(20)又はビデパイプ(39)にリンクした一つ以上の出口ノズル(19)を含む。
2007530842.tif 000002
【特許請求の範囲】
【請求項１】
洗浄水圧およびスプリング力により動作する直腸洗浄装置(A)であり、
中空の円筒状下部本体(15)、下部本体(15)にリンクした中空の円筒状上部本体(2)、洗浄動作時のために、水圧の助けによって前方へ移動することによりアクティブにされる直腸洗浄パイプ(16)、洗浄動作後に、直腸洗浄パイプ(16)を後方に押すことにより、直腸洗浄パイプ(16)を受動状態にする圧力スプリング(6)、不浸透性フェルト(5)、一つの可動ストッパー(3)、Oリング(10)、ガスケット(18)、および一つ以上の直腸洗浄出口ノズルを備える直腸洗浄装置(A)。
【請求項２】
請求項１による直腸洗浄装置(A)の下部本体(15)であり、
中空の円筒形態であり、上部本体(2)への結合のために、一方の端部に、一つ以上の下部本体結合用突出部(17)を含み、下部本体の突起 a (8)は、径を細くすることにより形成された他の端部に接近し、更に、圧力スプリング(6)の一端が付勢する細くした第２の径、および、他端では、径を細くすることにより、形成された下部本体ストッパー(12)により形成された下部本体の突起 b (9)、下部本体パイプ出口(30)、下部本体突起 b(9)および下部本体ストッパー(12)との間に位置する下部本体Oリング動作面(26)、下部本体Oリング動作面(26)にリンクした下部本体水アクセス(13)、圧力スプリング(6)が位置する正面穴(25)、上部本体の側部の後方穴(24)、下部本体(15)の外側に位置する突起の形態で、かつ、直腸洗浄装置(A)の装着を容易にする固定用支柱(21)を備える下部本体(15)。
【請求項３】
請求項１による直腸洗浄装置(A)の上部本体(2)であり、中空の円筒本体を有し、それの一端は閉塞され、他の端は開放され、その開口側から一つ以上の上部本体結合突出部(31)により、下部本体(15)内の下部本体結合突出部(17)に接続され、かつ、水圧により直腸洗浄パイプ(16)を前方に押すことにより、アクティブ(フルアクティブ)にされた直腸洗浄装置(A)を得るために役立つ上部本体の水アクセス(１)を含む上部本体(２)。
【請求項４】
請求項１による直腸洗浄装置(A)の直腸洗浄パイプ(16)であり、
内部に沿って位置する排水口(14)、
直腸洗浄パイプ(１６)の中央に位置し、かつ、圧力スプリング(６)の一端が付勢する突起スプリング位置面(7)、水出口(１４)にリンクした直腸洗浄パイプ(１６)の一端に位置する一つ以上の直腸洗浄出口ノズル(２０)、Oリング排出口(２７)、ガスケットの溝(３２)、Oリング排出口と、下部本体水アクセス(１３)から排水口(１４)への水にリンクするガスケット溝との間に位置する水アクセス排出口(１１)、不浸透性フェルト位置面 a (３３)および、不浸透性フェルト位置面b(３３)を備える直腸洗浄パイプ(16)。
【請求項５】
請求項４による直腸洗浄パイプ(１６)上の直腸洗浄出口ノズル(２０)であり、拡散することなく水を排出するための単一の口を有する直腸洗浄出口ノズル(２０)。
【請求項６】
請求項４による直腸洗浄パイプ(１６)上に位置し、かつ、Oリング(１０)が位置するOリング排出口(２７)であり、それの位置は、上部本体水アクセス(１)からの水の圧力で前方に押されることにより、直腸洗浄パイプ(１６)がアクティブ(全開)にされた時、下部本体のOリング動作面(26)と等価になるOリング排出口(２７)。
【請求項７】
請求項４に基づく直腸洗浄パイプ(１６)上で、かつ、ガスケット(１８)が位置するガスケットの溝(３２)であり、上部本体水アクセス(１)からの水の圧力で前方に押されることにより、直腸洗浄パイプ(１６)がアクティブ(全開)にされた時、ガスケット(１８)を下部本体ストッパー(１２)に付勢させるガスケットの溝(３２)。
【請求項８】
請求項４に基づく直腸洗浄パイプ(１６)上の、かつ、不浸透性フェルト(５)が位置する不浸透性フェルト位置面 a (３３)および不浸透性フェルト位置面 b (３４)であり、直腸洗浄パイプ(１６)の上部本体(２)の部分に位置し、かつ、不浸透性フェルト(５)の移動を防止する浸透性フェルト位置面 a (３３)および不浸透性フェルト位置面 b (３４)。
【請求項９】
請求項４による直腸洗浄パイプ(16)上のパイプ後方ストッパー(4)であり、不浸透性フェルト位置面 b (34)と一体化され、可動ストッパー(3)を含みかつ、保持し、そして、同時に、圧力スプリング(6)により後方へ押されることにより、直腸洗浄パイプ(16)が受動モードになった時、直腸洗浄パイプ(16)を、上部本体(2)へ付勢させるパイプ後方ストッパー(4)。
【請求項１０】
請求項１に基づく直腸洗浄装置(A)上の可動ストッパーであり、長い円筒体を含み、可動ストッパーの長い部分(35)および可動ストッパーの短い部分(36)のような２つの中にこの円筒体を駆動し、そして、後部穴(24)から排水口(14)へ水が流れるのを防止し、そして、可動ストッパーの長い部分(35)を、排水口(14)のパイプ後方のストッパー(4)の部分に置く可動ストッパーの突起(37)を含む可動ストッパー。
【請求項１１】
請求項１による直腸洗浄装置(A)であり、その特徴は、T部材(22)の助けでもって、供給パイプ(23)を通じて、クローゼットシステム内の３方弁を通じて来る水を、上部本体流水ホース(28)を備える直腸洗浄装置(A)の上部本体水アクセス(1)へ、および、下部本体流水ホース(29)を備える下部本体水アクセス(13)へ結合することである直腸洗浄装置(A)。
【請求項１２】
洗浄水の圧力およびスプリング力により動作するビデ(B)であり、請求項２による中空の円筒下部本体(15)、下部本体(15)に結合される請求項３による中空の円筒上部本体(2)、下部本体(15)内の水圧の助けにより前方に移動することにより、洗浄動作をアクティブにするビデパイプ(39)、ビデパイプ(39)上に位置し、かつ、洗浄動作後に、ビデパイプ(39)を後方に押すことにより、ビデパイプ(39)を受動モードに戻すビデ圧力スプリング(40)、不浸透性フェルト(5)、請求項１０による可動ストッパー(3)、Oリング(10)、ガスケット(18)および、ビデパイプ(16)にリンクした一つ以上のビデ出口ノズル(20)を備えるビデ(B)
【請求項１３】
請求項１〜１１に基づく直腸洗浄装置(A)を構成する特徴の機械的部品、およびこれに加え、スプリング位置面(７)に替わるビデ圧力スプリング位置面(38)の利用、直腸洗浄パイプ(16)に替わるビデパイプ(39)、圧力スプリング(６)に替わるビデ圧力スプリング(40)および、直腸洗浄出口ノズル(20)に替わるビデ出口ノズル(19)を備える請求項１２に記載のビデ(B)。
【請求項１４】
請求項１２に基づくビデ(B)のビデパイプ(39)であり、そのビデパイプの内部に沿って横たわる排水口(14)、ビデ圧力スプリング(40)の一端が正面の穴(25)に付勢し、かつ、正面の穴(25)を見る不浸透性フェルト位置面(33)の表面であるビデ圧縮圧力スプリング位置面(38)、ビデパイプ(39)の一端に位置し、かつ、排水口(14)にリンクする一つ以上のビデ出口ノズル(19)、請求項６によるOリング排出口(27)、請求項７によるガスケットスロット(32)、Oリング排出口(27)とガスケットの溝(32)との間に位置し、かつ、下部本体水アクセス(13)から排水口(14)へ流れる水にリンクする水アクセス排出穴(11)、不浸透性フェルト位置面 a (33)および不浸透性フェルト位置面 b (34)、パイプ後方ストッパー(4)を含むビデパイプ(39)。
【請求項１５】
ビデパイプ(39)上のビデ圧力スプリング位置面(38)が、直腸洗浄パイプ(16)上のスプリング位置面(７)に関してより後方にあるという事実により、直腸洗浄パイプ(16)よりもより長く前方に移動するという特徴を持つ請求項１４記載のビデパイプ(39)。
【請求項１６】
請求項１４によるビデパイプ(39)の一つ以上のビデ出口ノズル(19)であり、使用する水を、ノズル内の小さい穴のために拡散することにより、噴出させる、角度を持つ出口を有するビデ出口ノズル(19)。
【請求項１７】
請求項１２によるビデ(B)であり、それの特徴は、T部材(22)の助けでもって、供給パイプ(23)を通じてクローゼットシステム内の３方弁から来る水を、上部本体水流ホース(28)を備えるビデ(B)の上部本体水アクセス(1)に結合すること、および下部本体水流ホース(29)を備える下部本体水アクセス(13)に結合することであるビデ(B)。
【請求項１８】
請求項１に基づく直腸洗浄装置(A)であり、その動作方法に関し、する以下の特徴および/または局面を有する。
(1)上部本体水アクセス(１)から来る水により、後部穴(24)内を満たし、そして、圧力スプリング(6)の力を超過して直腸洗浄パイプ(16)を前方へ押すことにより、クローゼットシステムに隠された直腸洗浄装置(A)からの直腸洗浄パイプ(16)からの排出、
(2)不浸透性フェルト(5)により、後部穴(２４)内の圧縮された水が前部穴(２５)へ入ることの防止、
(3)圧力の損失なく、可動ストッパー(３)の不浸透性特性および不浸透性フェルト(５)により、開放の間、および直腸洗浄パイプ(１６)の動作に入る時間の保存、 
(4)アクティブ(全開)にされた直腸洗浄バイブ(16)のスプリング位置面(7)の下部本体突起a(8)への付勢および、下部本体突起a(8)と下部本体突起b(9)との間の圧力スプリング(６)の圧縮、
(5)アクティブ(全開)にされた直腸洗浄パイプ(１６)上のガスケット(１８)が下部本体ストッパー(１２)への付勢の助けでもって、下部本体パイプ出口(３０)を通って下部本体水アクセス(１３)から水が入る漏れの防止、
(6)直腸洗浄パイプ(６)がアクティブ(全開)になった時、下部本体Oリング動作面(２６)に不浸透の状態で付勢している直腸洗浄パイプ(１６)上のOリング排出口(２７)内に位置するOリング(１０)の助けでもって、下部本体水アクセス(１３)から来る水の前部穴(２５)への漏れの防止、
(7)直腸洗浄パイプ(１６)がアクティブ(全開)にされ、そして、水アクセス排出穴(１１)を通じて下部本体水アクセス(１３)から来る水の到着が、下部本体水アクセス(１８)を著朽ちよう洗浄パイプ(１６)内に位置する水排出口(１４)に合流した時、直腸洗浄パイプ(１６)に位置する水アクセス排出穴(１１)および下部本体水アクセス(１３)の軸の阻止、(8)可動ストッパー(３)により、上部本体水アクセス(１)から来る水が排水口(１４)に到達することの阻止、
(9)直腸洗浄パイプ(１６)がアクティブにされるか、全開になる前は、下部本体水アクセス(１３)に接続された下部本体水流ホース(２０)内の水流は単に漏れの状態である、
(10)通常状態の水流を得るために、言い換えれば、水による直腸の洗浄および洗いで必要な水は、ガスケット(１８)の助けにより、下部本体パイプ出口(３０)から漏れず、そして、Oリング(１０)の助けにより、前部穴(２５)に対し、水アクセス排出穴(１１)に対し、および、下部本体水アクセス(１３)から排出口(１４)への漏れがなく、排水口(１４)を通って直腸洗浄出口ノズル(２０)から排出される動作方法。
【請求項１９】
請求項１８による動作方法に関して同じ特性および/または局面を持ち、請求項１による直腸洗浄装置(A)に属する請求項１２または１３に記載のデビ(B)。
【請求項２０】
請求項１による直腸洗浄装置(A)であり、その特徴は、通常の流水が上部本体水アクセス(１)に到達するや否や、その水は、漏れとして、下部本体水アクセス(１３)にも到達し、まだアクティブ(完全に開放)にされていない直腸洗浄パイプ(１６)上の水アクセス排出口(１１)は、下部本体アクセス(１３)に対しより後方にあり、そして、前部穴(２５)への水の漏れは、アクセス排出穴(１１)に達し、排水口(１４)を通過して、直腸洗浄ノズル(２０)を通じて排出され、そして下部本体ストッパー(１２)に付勢するガスケット(１８)の助けによって、直腸洗浄パイプ(１６)から排出され、そして、下部本体パイプ出口(３０)の閉塞を防止し、直腸洗浄パイプ(１６)のグリース性質を得て、そして、直腸洗浄パイプ(１６)での漏れにより、迅速かつ急速に、下部本体パイプ出口(３０)から直腸洗浄パイプ(１６)から排出され、同時に、この特性により使用される前に、直腸洗浄パイプ(１６)の外側表面の洗浄を確実にする直腸洗浄装置(A)。
【請求項２１】
直腸洗浄装置(A)が受動モードである間、使用後、直腸洗浄パイプ(１６)の外側表面の清掃を行う請求項１に基づく直腸洗浄装置(A)であり、方法は、圧力スプリング(６)が直腸洗浄パイプ(１６)を後方に押すステップ、Oリング(１０)が下部本体Oリング動作表面(２６)から分離するステップ、正面穴(２５)を通過する下部本体水アクセス(１３)内の水が、水アクセス排出穴(１１)および水出口排出口(１４)を通じて通過することにより、直腸洗浄出口ノズル(２０)から排出され、その間に、ガスケット(１８)は下部本体ストッパー(１２)から分離し、そして漏れにより、下部本体パイプ出口(３０)から排出されるステップを備える直腸洗浄装置(A)。
【請求項２２】
請求項１２によるビデ(B)であり、それの特徴は、通常の流水が上部本体水アクセス(１)に到達するや否や、その水は、漏れとして下部本体水アクセス(１３)に達し、この位置にて、まだアクティブでないビデパイプ上に位置する水アクセス排出穴(１１)は、下部本体水アクセス(１３)な対しより後方にあり、そして、水は最初に前部穴(２５)に漏れ、その後、水アクセス排出穴(１１)に達し、そして、排出口(１４)を通過してビデ出口ノズル(１９)から排出され、そして、下部本体ストッパー(１２)に付勢することにより、下部本体パイプ出口(３０)をまだ閉じていないガスケット(１８)により、ビデパイプ(３９)から漏れ、ビデパイプ(３９)のグリース性質を得て、そして、ビデパイプ(３９)の漏れにより、下部本体パイプ出口(３０)からビデパイプ(３９)から容易にかつ急速に排出され、同時に、この特性の使用前に、ビデパイプ(３９)の外表面の洗浄を確実にするビデ(B)。
【請求項２３】
使用後に、ビデ(B)が受動(閉)になる間にビデパイプ(39)の外表面の清潔にする請求項１２によるビデ(B)であり、ビデオ圧力スプリング(４０)がビデパイプ(３９)を後方に押すステップ、Oリング(１０)が下部本体Oリング動作面(26)から分離するステップ、ガスケット(１８)が下部本体ストッパー(１２)から分離し、そして、水が漏れにより、下部本体パイプ出口(３０)から出る間、正面穴(２５)を通過する下部本体水アクセス(１３)内の水が、水アクセス排出口(１１)および排水口(１４)を通過して直腸洗浄出口ノズル(２０)から排出されるステップを備えるビデ(B)。
【請求項２４】
ビデ(B)または直腸洗浄装置(A)の溝形状(４４)を持つ下部本体であり、下部本体(１５)と異なる下部本体パイプ出口(３０)のエッジに少なくとも１つの固定用排出口(４１)を有する下部本体。
【請求項２５】
羽状形態を持つ直腸洗浄パイプであり、そのパイプ上に、直腸洗浄パイプ(１６)と異なる少なくとも１つの固定用の羽根(４２)を備える直腸洗浄パイプ。
【請求項２６】
固定用排出口(４１)上に、固定用の羽根が横たわる請求項２４に基づく溝形状(４４)を有する下部本体および請求項２５に基づく羽状形状(４５)を有する直腸洗浄パイプ。
【請求項２７】
溝形状(４４)を有する下部本体および羽状形状(４５)を有する直腸洗浄パイプを使用することにより、代替の直腸洗浄装置を構成する請求項２４に基づく溝形状(４４)を有する下部本体および請求項２５に基づく羽状形状(４５)を有する直腸洗浄パイプ。
【請求項２８】
スプリングの突起(４３)であり、突起の形状をなし、スプリング位置面(７)および、羽状形状(４５)を有する直腸洗浄パイプ内にあり、かつ、圧力スプリング(６)のスプリング突起(４３)上に位置するOリング排出口(２７)との間に一つ以上存在するスプリングの突起(４３)。
【請求項２９】
請求項２８によるスプリング突起(４３)であり、圧力スプリング(６)の軸と羽状形状(４５)を有する直腸洗浄パイプとを重ね合わせ、圧力スプリング(６)の内径とスプリング突起(４３)の外径との間の通過スペースの許容を構成し、圧力スプリング(６)が半径方向に移動するのを防止し、そして、圧力スプリング(６)の変形した回転を排除することにより、下部本体突起b(９)とスプリング位置面(７)内にる圧力スプリングが位置する表面での動作の間にノイズを発生させるスプリング突起(４３)。
【請求項３０】
直腸洗浄パイプ(１６)にも同様に適用できる請求項２８によるスプリングの突起(４３)。
【請求項３１】
羽状形状を有するビデパイプであり、その上に、ビデパイプ(３９)と異なる少なくとも１つの固定用の羽根(４２)を有する羽状形状を有するビデパイプ。
【請求項３２】
固定用の排出口(４１)内に固定用の羽根(４２)が横たわる請求項２４による溝形状(４４)を有する下部本体および、請求項３１による羽状形状を有するビデパイプ。
【請求項３３】
溝形状(４４)を有する下部本体および、羽状形状を有するビデパイプを使用することにより、代替のビデを構成する、請求項２４による溝形状(４４)を有する下部本体および、請求項３１による羽状形状を有するビデパイプ。
【請求項３４】
請求項２８または２９によるスプリング突起(４３)であり、ビデ圧力スプリング位置面(３８)と、ビデパイプ(３８)または、羽状掲示用を有するビデパイプでの使用の場合のOリング排出口(２７)との間に構成されるスプリング突起(４３)。
【請求項３５】
直腸洗浄パイプ(１６)およびビデパイプ(３９)上の排水口(１４)のパイプ後方スチッパー(４)側に可動ストッパーが位置する箇所を完全に塞ぐことにより、可動ストッパーを閉塞したものとして製作して、可動ストッパー(３)を用いることなく、不浸透性を与え、かつ、直腸洗浄パイプ(１６)およびビデパイプ(３９)を代替して構成することにより、可動ストッパーを代替する請求項１による直腸洗浄装置(A)および請求項１２によるビデ(B)。
【発明の詳細な説明】
【発明の詳細な説明】
【０００１】
この発明は、衛生目的のためのクローゼットで使用される隠されたビデおよび直腸洗浄装置に関する。
【０００２】
[発明の背景]
直腸洗浄パイプおよび直腸洗浄目的のビデを含むクローゼットは、以前から生産されている。従来技術では、クローゼットに、またはクローゼットのカバーに装着されるいくつかの直腸洗浄およびビデのシステムが周知である。
【０００３】
用により直腸の洗浄およびビデのパイプの外側の表面の汚れは、美的および衛生面で問題を引き起こす。これらの問題を克服するために、異なった原理によって動作する従来技術の移動式の直腸洗浄およびビデのシステムにも問題が存在する。移動式の直腸洗浄パイプおよびビデは、クローゼットにまたはクローゼットのカバーに装着され、そして、使用時、それらは本体内で前進し、そして動作する。したがって、外側の表面の汚染は、大きい程度に防止される。
【０００４】
従来技術では、洗浄パイプかビデパイプの移動は、本体内に位置する電気的なエンジンにより与えられ、このエンジンに接続されたギヤにより励起される。使用時、最初に、電気的エンジンがスイッチオンにされ、そして、次に、洗浄またはビデのパイプが本体から出て来る。使用の最後に、電気的エンジンの助力によって洗浄パイプまたはビデは本体内へ入る。
【０００５】
従来技術の内の別の適用は、洗浄パイプかビデの移動が、洗浄水の力によって完全に与えられるということである。日本特許 JP 2001 193130では、それは、一つの円筒体に位置する２つの部品として直腸洗浄とビデのパイプが使用される。それは、この直腸の洗浄ビデシステムで２個のチャンネルが使用される理由である。その筒状本体上に、５個の異なる水アクセスもある。同じチャンネルにビデと直腸の洗浄があるので、使用の間に、他の未使用のノズルが汚染され、そして、汚れが固まることがある。また、このシステム内で、このシステムを洗う、予備使用と本使用が存在しない。
【０００６】
[発明の目的]
この発明は、使用のために洗浄圧により開放し、かつ、使用後にスプリングにより閉じる過程の間に、このシステム内のビデパイプの清掃のみならず、衛生的な洗浄を行うのに役立つ、隠れた直腸洗浄またはビデシステムの外側のクリーニングを行うことを目的とする。
【０００７】
[発明の詳細な説明]
この発明に関するシステムは、添付の図面および以下の説明で示される。図１に示されるように、水は、クローゼットシステム内に位置する三方弁を通して、言及した直腸洗浄装置(A)に到達する。その水は、主の水アクセス弁から三方弁に来る。異なる供給管(23)を通じて、言及した３方弁の噴出の１つは、直腸洗浄装置(A)に接続され、他の１つは、ビデ(B)(ビデ(B)は図５、６で示される)に接続される。その供給管(23)は、Ｔ分岐(22)により、上側本体の水アクセス(1)に接続され、そして、下側本体の水アクセス(13)に接続される。ユーザは、連続した流れを提供し、かつ、偏向バルブとして機能する三方弁の助けを借りて直腸の洗浄かビデを切り換えることができる。直腸洗浄装置(A)がアクティブなモードであるとき、ビデ(B)は受動のモードとなり、またはその逆である。主の水アクセスバルブが閉じられるとき、三方弁への水流は阻止される。この三方弁は、水流の向きを変える時のみ使用される。
【０００８】
図１に示されるように、発明された直腸洗浄装置(A)は、上部本体の水アクセス(1)および下部本体の水アクセス(13)のように２つの異なる水アクセスを持ち、上部本体(2)および上部本体に結合された下部本体(15)からなる。上部本体(2)にある上部本体の水アクセス(1)は、直腸洗浄装置(A)の移動を確実にし、他方、下部本体(15)にある下部本体の水アクセス(13)は、直腸洗浄装置(A)に洗浄機能を行わせる。
【０００９】
図２および図３に示されるように、直腸洗浄装置(A)の中空の円筒状下部本体(15)は、水圧により下部本体内で前方へ移動可能な洗浄エレメントとして動作する直腸洗浄パイプ(16)、洗浄動作後に直腸洗浄パイプ(16)が受動モードに復帰することに役立ち、かつ、その一部が不浸透性のフェルト(5)のように不透過性用途として使用されることに役立つ圧力スプリング(6)、移動ストッパー(3)、Oリング (10) およびガスケット (18)を備える。
【００１０】
図２、３および４に示されるように、上記の直腸洗浄装置(A)の下部の中空の円筒本体(15)は、端部にある一つ以上の下部結合突起(17)、他方の端部近くの直径を狭くすることにより生じた下部本体の突き出し a (8)、これに加え、圧力スプリング(6)の一つの端部が関係する、他方の端部で直径を第２の狭めにより生じた下部本体の突き出し b (9)、直径の狭めにより再度生じた下部本体のストッパー(12)、下部本体のパイプ出口(30)、下部本体突き出し b (9)と下部本体のストッパー(12)との間に位置する下部本体のOリング動作表面(20)、下部本体のOリング動作表面(20)にリンクする下部本体水アクセス(13)、圧力スフリング(6)が位置する正面の穴(25)、上部本体近傍の後部の穴(24)、および、下部本体(15)外側の突き出し部の形態をなし、かつ、直腸洗浄装置(A)の装着を容易にする固定用の支柱(21)からなる。
【００１１】
図２、３および４に示されるように、上記直腸洗浄装置(A)の中空の円筒状上部本体(2)は、一つの閉じた端部および、下部本体(１５)に結合された一つの開放端を有し、上部本体の水アクセス(1)および、上部本体(2)の開口端に位置し、かつ、下部本体結合突起(17)にリンクした一つ以上の上部本体結合突起(31)を含む。
【００１２】
図２、３および４に示されるように、上記の直腸洗浄装置(A)の直腸洗浄パイプ(16)は、排水口(14)、圧力スプリング(6)の端部の一つが関係する直腸洗浄パイプ(16)の中央に位置する突き出したスプリングが位置する表面(7)、Oリングの排出部(27)、ガスケットのスロット(32)、下部本体の水アクセス(13)から排水口(14)へ流れる水とリンクし、Oリング排出部(27)とガスケットのスロット(27)との間に位置する水アクセス穴(11)、不浸透性のフェルトが位置する表面 a (33)および、不浸透性のフェルトが位置する表面 b (34)、およびパイプ後方のストッパー(4)を備える。
【００１３】
図２、３および４に示されるように、内部にOリング(10)が位置する直腸洗浄パイプ(16)内に位置する直腸洗浄装置(A)のOリング排出口(27)は、Oリング動作表面(26)に相当している位置において、直腸洗浄パイプ(16)がアクティブモード(全開)になる時、および、ガスケット(18)が、直腸洗浄パイプ(16)および直腸洗浄パイプ(16)内に位置している、ガスケット溝(32)がアクティブ(全開)になるとき、ガスケット(18)が下部本体ストッパー(12)へ進むことを確実にする。
【００１４】
図２、３および４に示されるように、Oリング動作表面に相当している位置において、直腸洗浄パイプ(16)が、アクティブモード(全開)になった時、また、ガスケット(18)が直腸洗浄パイプ(16)内に位置し、かつ、直腸洗浄パイプ(16)がアクテイブ(全開)になった時も、Oリング(10)が内部に位置する直腸洗浄パイプ(16)内に位置する、直腸洗浄装置(A)のOリング排出部(27)は、ガスケット(16)が下部本体ストッパー(12)に関係することを確実にする位置となる。
【００１５】
図２、３および４に示されるように、上記直腸洗浄装置(A)の直腸洗浄パイプ(16)の一端にて、突き出た不浸透性のフェルト(5)が位置する不浸透性のフェルト表面 a (33)と、そのフェルトを固定する不浸透性のフェルトが位置する表面 b (34)がある。可動のストッパー(3)を保持する突起の形態のパイプの後方のストッパー(4)は、不浸透性のフェルトが位置する表面 b (34) と統合され、また、圧力スプリング(6)を通じて、後方に押されることにより、直腸洗浄パイプ(16)が受動になった時、直腸洗浄パイプ(16)が上部本体(2)に関係して留まることを助ける。
【００１６】
図２、３および４に示されるように、上記直腸洗浄装置(A)の移動ストッパーは、この本体を、可動ストッパーの長い部分(35)および、移動ストッパーの短い部分(36)のように、２つの部分に分割し、そして、水が後部の穴(24)から排水口(14)へ流れるのを防止することにより、後部の穴(24)での水圧を保護する、長い円筒状本体および移動ストッパーの突き出し(37)を持つ。可動ストッパーの長い部分(35)は、排水口(14)の排水口後方のストッパー(4)の側に置かれる。
【００１７】
図２、３および４によって内側の構造が示されたクローゼットシステムで使用される直腸の清浄装置(A)の操作方法が以下説明される。
【００１８】
上部本体の水アクセス(1)から来る水が、直腸洗浄パイプ(16)を押すために、そのパイプは、圧力スプリング(6)の力に打ち勝つ必要がある。圧力スプリング(6)の片端は、直腸洗浄パイプ(16)および、底部の本体 b (9)上の他の端と一体化された、スプリング位置表面(7)に頼る。後部の穴(24)に衝突した水は、浸透性のフェルト(5)により、前部の穴(25)を通ることが防止される。可動のストッパー(3)の不浸透性の特性および不透過性のフェルト(5)の助けにより、圧力の損失なしで、直腸洗浄パイプ(16)の開放および機能する期間に、時間の損失が全くない。上部本体の水アクセス(1)から来る水の圧力によって押し進められた直腸洗浄パイプ(16)は、クローゼットシステムの中に隠された直腸洗浄装置(A)から出て来る。前進する直腸洗浄パイプ(16)内のスプリングが位置する表面(7)は、下部本体の突起(8)に進み、そして、圧力スプリング(6)は、下部本体の突起 a (8)と、下部本体の突起 b (9)との間で詰められる。前進する直腸洗浄パイプ(16)上のガスケット(18)は、下部本体のストッパー(12)へ進み、下部本体の水アクセス(13)から来る水が、下部本体のパイプ出口(30)から排出されるのを防ぐ。直腸洗浄パイプ(16)がアクティブ(全開)になった時、直腸洗浄パイプ(16)上のOリングの排出口(27)内に位置するOリングは、自身を下部本体のOリング動作表面(26)内へ不浸透性の状態で食い込ませることにより、下部水アクセス(13)から来る水が正面の穴(25)へ入るのを防止する。このように、下部本体の水アクセス(13)から来る水は、下部本体水アクセス(13)に合流するアクセス排水穴(11)を通じて、直腸洗浄パイプ(16)に位置する排水口(11)に達する。上部本体水アクセス(1)から入って来る水は、可動ストッパー(3)のために、排水口(14)に来ない。直腸洗浄装置(A)の下部本体(15)に位置する後部の穴(24)および前部の穴(25)は、不浸透性のフェルト(5)により直接に阻止される。
【００１９】
図１に示されるように、言及された直腸洗浄装置(A)では、水は、供給パイプ(23)を通してT部材に来る。下部本体アクセス(13)にリンクした下部本体流水ホース(29)および、上部本体アクセス(1)にリンクした上部本体の流水ホース(28)は、前記T部材(22)により、互いに結合される。上部水流ホース(28)および上部水アクセス(1)を通過した水は、図４で示したように後部の穴(24)に充填することにより、図３のごとく、直腸洗浄パイプ(16)を前方に押す。直腸洗浄パイプ(16)がアクティブ(全開)になる前に、下部本体アクセス(13)にリンクされた下部本体流水ホース(29)内の水は、正に漏出の状態にある。直腸洗浄パイプ(16)がアクティブ(全開)になった時、下部水アクセスの軸および、直腸洗浄パイプ(16)上にある水アクセス排水口(11)は交差する。ガスケット(18)の助けにより、下部本体パイプ出口(30)から漏れず、かつ、Oリング(10)の助けにより、正面の穴(25)へ漏れない水は、下部本体アクセス(13)により、水アクセス排水穴(11)および排水口(14)に入り、排水口(14)を介し、直腸洗浄用出口ノズル(20)を通じて出る。このように、正常な水の状況、言い換えれば、直腸の洗浄および洗いのために要求される水が与えられる。
【００２０】
図２に示されるように、前記の直腸洗浄装置(A)では、正常な流れで水が上部本体アクセス(1)に達するや否や、その水は、漏れとして、下部本体アクセス(3)にも達する。直腸洗浄パイプ(16)上に位置する水アクセス排出穴(11)は、全開でないとき、または完全に開放されていない時、下部本体水アクセス(13)の背後に達する。この位置では、圧力スプリングがある正面穴(25)へ漏れる水は、水アクセス排水穴(11)に達し、排水口(14)を通過し、そして、ガスケット(18)が、下部本体ストッパー(12)へ進むことにより、下部本体パイプ出口(30)をまだ閉じていないので、直腸洗浄出口ノズル(20)および直腸洗浄パイプを通じ漏れによって出る。言い換えれば、正常な状態の水流はまだ与えられない。直腸洗浄パイプ(16)での漏れは、直腸洗浄パイプ(16)をつるつるの状態にし、そして、下部本体パイプ出口(30)から水を容易にかつ迅速に出させる。この漏出は、また、用法の前に、直腸洗浄パイプ(16)の外側表面の清浄を確実にする。
【００２１】
図３、４に示されるように、前記直腸洗浄装置(A)では、上部水アクセス(1)から来る水のために十分に開く直腸洗浄パイプ(16)は、Oリング(10)の下部本体のOリング動作表面(26)および、ガスケット(18)の下部本体ストッパー(12)の上に不浸透性の状態で位置し、そして、直腸洗浄パイプ(16)上の水アクセス穴(11)および下部本体水アクセス(13)が重なった時、下部本体水アクセス(13)から来た水は、排出口(14)を通過して直腸洗浄出口ノズル(20)から排出する。直腸洗浄出口ノズル(20)は、単一の出口であり、広がることなく水が噴出する。
【００２２】
図１に示されるように、閉鎖または、言及された直腸洗浄装置(A)の受動モードへの移行は、水の流れを減じて、供給パイプ(23)から来る水の圧力を遮断することにより、起こる。上部穴(24)内に位置する圧力が減じた水は、圧力スプリング(6)によって後方に押されることにより、上部本体水アクセス(1)および上部本体水流ホース(28)を通じてT部材へ来て、そして、下部本体水流ホース(29)および下部本体の水アクセス(13)へ到達する。圧力スプリング(6)が、直腸洗浄パイプ(16)を後方へ押した時、Oリング(10)は、下部本体Oリングの動作面(26)から分離し、そして、ガスケット(18)は、下部本体ストッパー(12)から分離する。一方、下部本体水アクセス(13)に来た水は、正面穴(25)内に入り、水アクセス排出穴(11)および、排水口(14)を通じて通過することにより、直腸洗浄出口ノズル(20)から排出され、また、その排出の間に、下部本体パイプ出口(30)から漏れる水は、使用後に、直腸洗浄パイプ(16)の外表面の洗浄を確実にする。
【００２３】
図５では、発明されたビデ(B)の部分のアクティブモード時の斜視図が示される。図１〜４に示した直腸洗浄装置(A)および、図５に示されたビデ(B)を構成する共通の機械的な特徴および/または部品が存在する。上部本体水アクセス (1), 上部本体 (2), 可動ストッパー (3), パイプ後方のストッパー (4), 不浸透性のフェルト (5), 下部本体の突起 a (8), 下部本体の突起 b (9), Oリング (1 O), 水アクセス排出穴 (11), 下部本体ストッパー (12), 下部本体の水アクセス (13), 排出口 (14), 下部本体 (15), 下部本体結合用突出部 (17), ガスケット (18), 固定用支柱 (21), T部材 (22), 供給パイプ (23), 後部穴 (24), 正面穴 (25), 下部本体のOリング動作面 (26), Oリング排出口 (27), 上部本体流水ホース (28), 下部本体流水ホース (29), 下部本体パイプ出口 (30), 上部本体結合突出部 (31), ガスケット溝 (32), 不浸透性フェルト位置面 a (33), 不浸透性フェルト位置面 b (34), 可動ストッパーの長い部分 (35), 可動ストッパーの短い部分 (36), 可動ストッパーの突き出し部 (37) のごとき上述した機械的特徴および/または部品が、直腸洗浄装置(A)およびビデ(B)で共に同じ目的のために使用される。
【００２４】
ビデ(B)および直腸洗浄装置(A)の操作法は、同じであり、また、ビデ(B)および直腸洗浄装置(A)を構成するすべての機械的な部品はいくつかの違いを除いて同じである。図５に示すように、直腸洗浄装置(A)と異なるビデ(B)では、ビデパイプ(39)の中間に、直腸洗浄パイプ(16)内と似て、突き出したスプリング位置面(7)が存在しない。ビデ(B)では、ビデ圧力スプリング(40)は、不浸透性フェルト位置面 a (33)の正面穴(25)に見えるビデ圧力スプリング位置面(33)に伸びている。これに加えて、排水する直腸洗浄パイプ(15)およびビデパイプ(39)の長さは異なる。ビデパイプ(29)上のビデの圧力スプリング位置面(38)は、直腸洗浄パイプ(16)内のスプリング位置面(7)の背後を支持するので、ビデパイプ(39)は、は直腸洗浄パイプ(16)の移動より前方へ移動する。直腸洗浄装置(A)とビデ(B)との間の別の違いは、ビデ(B)のビデ圧力スプリング(40)が直腸洗浄装置(A)内の圧力スプリング(6)より長いことである。また、ビデ出口ノズル(19)の直腸洗浄出口ノズル(20)との違いは、ビデ出口ノズル(19)が、角度および、小さい穴のノズルによる水ジェットを持つことである。直腸洗浄出口ノズル(20)は、単一出口の形態を有し、広がることなく水が噴出する。
【００２５】
使用の間、直腸洗浄パイプ(16)およびビデパイプ(39)が十分に出た時、下部本体の水アクセス(13)から入る水は、水アクセス排水穴(11)を通過し、そして、直腸洗浄装置(A)内の直腸洗浄出口ノズル(20)から排水され、その水は、ビデ内のビデ出口ノズル(19)から排出される。直腸洗浄装置(A)またはビデ(B)は、通常の期間の排水、言い換えれば、この位置においてのみ洗浄および洗いに要求される流水を確実にすることにより、通常の洗浄を実現する。この位置では、下部本体のパイプ出口(30)からの漏れがないので、直腸洗浄パイプ(16)または、ビデパイプ(39)の外表面は洗浄できない。直腸洗浄パイプ(16)またはビデパイプ(39)の外表面の洗浄動作は、直腸洗浄パイプ(16)またはビデパイプ(39)が下部本体(15)から出て来るか、または、下部本体(15)内に入る間に実現される。
【００２６】
図６では、クローゼットへ並列にして装着した時のビデ(B)および直腸洗浄装置(A)の斜視図が示される。図７では、ビデ(B)と直腸清浄装置(A)がはめ込まれた形態での下部本体が示される。下部本体(15)に対するはめ込まれた形態の下部本体(44)の違いは、下部本体バイプ出口(30)の少なくとも一方、好ましくは両側に、固定用排水口(41)が存在することである。
【００２７】
図８では、羽状の形態がある直腸洗浄パイプ(45)が示される。上述の直腸洗浄パイプ(16)に対し、羽状の形態がある直腸洗浄パイプ(45)の違いは、羽状の形態がある直腸洗浄パイプ(45)の少なくとも一方、好ましくは両側に位置する、羽状の形態の存在である。
【００２８】
また、図８に示した羽状の形態がある直腸洗浄パイプ(45)では、スプリング位置表面(7)およびスプリングの突出(43)が存在し、それらの上には、突起状態の形態で、Oリングの排出口(27)の間に位置する一つ以上の圧力スプリング(6)が位置する。そのスプリングの突起(43)は、圧力スプリング(6)および羽状の形態がある直腸洗浄パイプ(45)との間の直径差に許容するように構成される。言い換えれば、圧力スプリング(6)の内径およびスプリング突起(43)の外径の間の許容通過スペースを構成することにより、圧力スプリング(6)の軸と、羽状の形態がある直腸洗浄パイプ(45)とが重なる。その結果、羽状の形態がある直腸洗浄パイプ(45)に基づく圧力スプリング(6)の中心軸のゆがみを排除することにより、圧力スプリングは放射方向に移動し、そして、圧力スプリング(6)が位置する表面内、下部本体突起 b (9)内、およびスプリング位置面(7)における動作の間の中心軸のゆがみによるノイズが発生するのが防止され、そのためより容易に動作する。羽状の形態がある直腸洗浄パイプ(45)から離れたスプリングの突起(43)は、選択的に、直腸洗浄パイプ(16)に適用できる。羽状の形態がある直腸洗浄パイプ(45)は、図８に示すようにスプリングの突起(43)を用いずに構成できる。
【００２９】
図９では、溝形状を持つ下部本体(44)およびそのインストールに続く羽状形状を持つ直腸洗浄パイプ(45)の位置が示される。固定用の羽根(42)は、固定用排出口(41)内に位置する。固定用排出口(41)は、羽状の形態がある直腸洗浄パイプ(45)の移動の間に、固定用の羽根(42)の助けによって、よりよく位置する。図７〜９では、溝形状を持つ下部本体(44)と、羽状形状を持つ直腸洗浄パイプ(45)は、下部本体(15)および直腸洗浄パイプ(16)に対し交互に展開される機械的な部品である。替わりに、直腸洗浄装置を、直腸洗浄装置(A)を変更することなく、溝形状のある下部本体(44)および羽状の形状のある直腸洗浄パイプ(45)を用いて形成できる。
【００３０】
また、羽状形状を持つ直腸洗浄パイプ(45)においても同様に、ビデパイプ(39)の一つの側部好ましくは両側に固定用の羽根(42)を用いて替わりのビデパイプを構成できる。固定用排出口(41)内に固定用の羽根(42)が位置する箇所に、溝形状を有する下部本体(44)および、上述した代替のビデパイプを用いることにより、代替のビデ(B)を、変形することなく構成できる。
【００３１】
スプリング突起(43)は、ビデ(B)にも使用できる。そのスプリング突起(43)は、ビデ圧力スプリング位置面(38)およびOリング排出口(27)間のビデパイプ(39)または羽状形状を持つビデパイプ上に構成される。
【００３２】
また、直腸洗浄装置(A)およびビデ(B)内に使用される可動ストッパー(3)の代替として、直腸洗浄パイプ(16)およびビデパイプ(39)内の排水口(14)の排出口後方のストッパー(4)で可動ストッパー(3)が位置する箇所を完全に塞ぐことにより、または、閉塞を作ることにより、可動ストッパー(3)および代替の直腸洗浄パイプ(16)を使用することなく、不浸透性を得ることができる。
【００３３】
ここで述べた好ましい直腸洗浄装置(A)およびビデ(B)は、この発明の保護範囲を限定しない。この発明の説明の方向で実現される好ましい直腸洗浄装置(A)およびビデ(B)への変形は、この発明の保護範囲内あると評価されるべきである。
【図面の簡単な説明】
【００３４】
【図１】直腸洗浄装置の斜視図
【図２】受動モードでの直腸洗浄装置の一部の斜視図
【図３】能動モードでの直腸洗浄装置の一部の斜視図
【図４】能動モードでの直腸洗浄装置の一部の側面図
【図５】能動モードでのビデの一部の斜視図
【図６】クローゼットに並べて装着されたビデおよび直腸の洗浄装置の斜視図
【図７】はめ込まれた形態のビデまたは直腸の清浄装置の下側本体の透視図
【図８】伸びた形態の直腸洗浄パイプの斜視図
【図９】はめ込まれた形態のビデまたは直腸の清浄装置の下側本体および、装着後の伸びた形態の直腸洗浄パイプの透視図
【符号の説明】
【００３５】
A：直腸洗浄装置
B：ビデ 
１：上部本体の水アクセス
２：上部本体
３：可動ストッパー
４：パイプ後方ストッパー
５：不浸透性フェルト
６：圧力スプリング
７：スプリング位置面
８：下部本体突起 a
９：下部本体突起 b
１０： Oリング
１１：水アクセス排水穴
１２：下部本体ストッパー
１３：下部本体の水アクセス
１４：排水口
1 5：下部本体
１６：直腸洗浄パイプ
１７：下部本体接合突出部
１８：ガスケット
１９：ビデ出口ノズル
２０：直腸洗浄出口ノズル
２１：固定用支柱
２２：T部材
２３：供給パイプ
２４：後部穴
２５：正面穴
２６：下部本体Oリング動作面
２７：Oリング排出口
２８：上部本体の水流ホース
２９：下部本体の水流ホース
３０：下部本体のパイプ出口
３１：上部本体結合ラグ
３２：ガスケットの溝
３３：不浸透性フェルト位置面 a
３４：不浸透性フェルト位置面 b
３５：可動ストッパーの短い部分
３６：可動ストッパーの長い部分
３７：可動ストッパーの突起
３８：ビデ圧力スプリング位置面
３９：ビデパイプ
４０：ビデ圧力スプリング
４１：固定用排出口
４２：固定の羽根
４３：スプリング突起
４４：溝形状のある下部本体
４５：羽状の形状のある直腸洗浄パイプ
【図１】
2007530842.tif 000003
【図２】
2007530842.tif 000004
【図３】
2007530842.tif 000005
【図４】
2007530842.tif 000006
【図５】
2007530842.tif 000007
【図６】
2007530842.tif 000008
【図７】
2007530842.tif 000009
【図８】
2007530842.tif 000010
【図９】
2007530842.tif 000011
【手続補正書】
【提出日】平成17年9月21日(2005.9.21)
【手続補正１】
【補正対象書類名】特許請求の範囲
【補正対象項目名】全文
【補正方法】変更
【補正の内容】
【特許請求の範囲】
【請求項１】
直腸洗浄パイプ(16)を持つ隠された直腸洗浄装置(A)であり、前記パイプの外表面が、下部本体パイプ出口(30)から漏れる水により２回洗浄され、一方、使用前の水圧により、前記パイプ(16)が開にされ、他方、衛生状態を増すために、使用後はスプリングにより、閉にされ、
前記隠された直腸洗浄装置(A)は、
中空円筒状の下部本体(15)と、
前記下部本体(15)に結合された中空円筒状の上部本体(2)と、
洗浄動作のための水圧の助けにより、前方へ移動する直腸洗浄パイプ(16)と、
洗浄動作後に、直腸洗浄パイプ(16)を後方に押すスプリング(6)と、
シールリング(5)と、
可動ストッパー(3)と、
Oリング(10)と、
ガスケット(18)とを備え、
前記下部本体(15)は、
前記上部本体(2)との結合のために、下部本体(15)の一端に多数の下部本体結合突起(17)と、
下部本体の他端に接近する箇所で径を減じることにより形成された下部本体突出部 a (8)と、
下部本体の他端に、より接近した箇所で第２の径に減じることにより形成され、スプリング(6)の一端が付勢する下部本体突出部 b (9)と、
追加的に径を減じることにより形成された、下部本体の他端の下部本体ストッパー(12)と、
下部本体の他端にある下部本体パイプ出口(30)と、
下部本体突出部 b (9)と下部本体ストッパー(12)との間に位置する下部本体Oリング動作面(26)と、
下部本体Oリング動作面(26)にリンクした下部本体水アクセス(13)と、
スプリング(6)が位置する前部通路(25)と、
上部本体(2)位置の側にある後部通路(24)と、
下部本体(15)の外側に位置して、本直腸洗浄装置(A)の装着を容易にする装着用突出部(21)とを備えることを特徴とする直腸洗浄装置(A)。
【請求項２】
隠された直腸洗浄装置(A)の直腸洗浄パイプ(16)であり、
前記パイプ(16)を通って通過する排水口(14)と、
前記パイプ(16)の中央に位置する突起の形状をなし、スプリング(6)の一端が付勢するスプリング付勢面(7)と、
排水口(14)にリンクし、直腸洗浄パイプ(16)の先端に位置する複数の直腸洗浄ノズル(20)と、
Oリング(10)が位置するOリングのチャンネル(27)であり、パイプ(16)が十分に開放された時、下部本体水アクセス(13)から前部穴(25)への水の漏れを防止するために、Oリング(10)が、下部本体(15)上の下部本体Oリング動作面(20)に適合するように位置するOリングのチャンネル(27)と、
ガスケット(18)が位置するガスケットハウジング(32)であり、パイプ(16)が十分に開放された時、下部本体水アクセス(13)から下部本体パイプ出口(30)への水の漏れを防止するために、ガスケット(18)が、下部本体(15)上の下部本体ストッパー(12)へ付勢するように位置するガスケットハウジング(32)と、
Oリングのチャンネル(27)とガスケットハウジング(32)との間に位置し、下部本体水アクセス(13)から来る水流を排水口(14)にリンクする水アクセス穴(11)と、
後部通路(24)から前部通路(25)への水の漏れを防止するシールリング(5)を、一体となって保持する、シールリング配置面 a (33)およびシールリング配置面 b (34)と、
直腸洗浄パイプ(16)が、スプリング(6)により後方に押されることにより、閉位置となった時、可動ストッパー(3)を収納すると共に保護し、かつ、同時に、上部本体(2)に対して付勢した状態の直腸洗浄パイプ(16)を与える、シールリング配置面 b (34)と一体的なパイプ後方ストッパー(4)とを備える直腸洗浄パイプ(16)。
【請求項３】
請求項１記載の上部本体(2)は、一端が閉じ、他端が開放された中空の円筒体で、上部本体アクセス(1)を持つ形態をなし、前記開放端近傍に位置する複数の上部本体接続突起(31)により、前記本体(2)が、下部本体(15)内の下部本体接続突起に結合される。
【請求項４】
請求項１記載の可動ストッパー(3)は、長い円筒体、前記円筒体を可動ストッパーの長い部分(35)と可動ストッパーの短い部分(36)として分離する可動ストッパー突出部(37)を有し、そして、排水口(14)のパイプ後方ストッパー(4)側内に可動ストッパーの長い部分(35)を配置して、後部通路(24)から排水口(14)への流水を阻止することにより、後部通路(24)での水圧を維持する。
【請求項５】
溝付き下部本体(44)は、少なくとも１つの装着用の溝が、請求項１記載の下部本体(15)の下部本体パイプ出口(30)のエッジに備えられる。
【請求項６】
ガイドレール付き直腸洗浄パイプ(45)は、少なくとも１つのガイドレール(42)が、請求項２記載の直腸洗浄パイプ(16)上に備えられる。
【請求項７】
請求項５に記載の溝付き下部本体(44)および、請求項６に記載のガイドレール付き直腸洗浄パイプ(45)は、ガイドレール(42)が装着用の溝に適合する。
【請求項８】
請求項６記載のガイドレール付き直腸洗浄パイプ(45)内のスプリング配置突起(43)は、その突起(43)上で、スプリング付勢面(7)と、Oリングチャンネル(27)との間にスプリング(6)が配置され、かつ、複数の突起の形態である請求項６記載の直腸洗浄パイプ(16)。
【請求項９】
請求項８記載のプリング配置突起(43)は、直腸洗浄パイプ(16)で使用できる。
【請求項１０】
外側が下部本体パイプ出口(30)から漏れる水により２回洗浄されるビデパイプ(39)を持つビデ(B)であり、衛生状態を増すために、前記パイプ(39)は、使用前に水圧により開にされ、そして、使用後にビデスプリング(40)により閉じられ、
前記ビデ(B)は、
中空円筒状の下部本体(15)と、
前記下部本体(15)に結合された中空円筒状上部本体(2)と、
洗浄動作後に、ビデパイプ(39)を後方に押すビデスプリング(40)と、
シールリング(5)と、
可動ストッパー(3)と、
Oリング(10)と、
ガスケット(19)とを備え、
前記下部本体(15)は、
前記上部本体(2)との結合のために、下部本体の一端に複数の下部本体結合突起(17)と、
下部本体の他端に接近した箇所で、径を狭めることにより形成された下部本体突起 a (8)と、
下部本体の他端に接近した箇所で、ビデスプリング(40)の一端が付勢する 第２の径に狭めることにより形成された下部本体突起 b (9)と、
下部本体の他端に位置し、径を更に狭めることにより形成された下部本体ストッパー(12)と、
下部本体の他端に位置する下部本体パイプ出口(30)と、
下部本体突起 b (9)と下部本体ストッパー(12)の間に位置する下部本体Oリング動作面(26)と、
下部本体Oリング動作面(26)にリンクした下部本体水アクセス(13)と、
ビデスプリング(40)が位置する前部通路(25)と、
上部本体(2)側の位置にある後部通路(24)と、
下部本体(15)の外側に位置し、ビデ(B)の取り付けを容易にする装着用突起(21)とを備えることを特徴とするビデ(B)。
【請求項１１】
請求項１０に記載のビデ(B)のビデパイプ(39)であり、
前記パイプ(39)を通って通過する排水口(14)と、
前部通路(25)に向いている、シールリング位置面 a (33)であり、ビデスプリング(40)の一端が付勢するビデスプリング付勢面(38)と、
排水口(14)にリンクし、ビデパイプ(39)の先端に位置する複数のビデ出口ノズル(19)と、
Oリングが位置するOリングチャンネル(27)であり、ビデパイプ(39)が全開した時、下部本体水アクセス(13)から下部本体(15)の前部穴(25)へ水が漏れるのを防止するために、Oリング(10)が、下部本体(15)上の下部本体Oリング動作面(26)に適合するように位置するOリングチャンネル(27)と、
ガスケット(18)が位置するガスケットハウジング(32)であり、ビデパイプ(39)が全開した時、下部本体水アクセス(13)から下部本体パイプ出口(30)へ水が漏れるのを防止するために、ガスケット(18)が下部本体(15)上の下部本体ストッパー(12)に付勢するように位置するガスケットハウジング(32)と、
下部本体水アクセス(13)から排水口(14)へ流れる水にリンクし、かつ、Oリングチャンネル(27)と、ガスケットハウジング(32)との間に位置する水アクセス穴(11)と、
後部通路(24)から前部通路(25)への水の漏れを防止するシールリング(５)を一体となって保持するシールリング位置面 a (33)および、シールリング位置面 b (34)と、
可動ストッパー(3)を収容すると共に保護し、そして、同時に、ビデパイプ(39)を、上部本体(2)に対して付勢した状態に留める、シールリング位置面 b (34)と一体化されたパイプ後方ストッパー(4)とを備えるビデパイプ(39)。
【請求項１２】
ガイドレール付きのビデパイプは、少なくとも１つのガイドレール(42)が請求項１１記載のビデパイプ(39)上に備えられる。
【請求項１３】
請求項５記載の溝付き下部本体(44)および、請求項１２記載のガイドレール付きビデパイプは、ガイドレール(42)が装着用の溝(41)内に適合する。
【請求項１４】
請求項１２記載のガイドレール付きビデパイプ内のスプリング配置突起(43)は、ビデスプリング付勢面(36)と、Oリングチャンネル(27)との間にあり、ビデスプリング(40)が配置され、かつ、複数の突起の形態である。
【請求項１５】
請求項１４記載のスプリング配置突起(43)は、ビデパイプ(39)に使用できる。
【請求項１６】
請求項１に記載の直腸洗浄装置(A)または、請求項１０記載のビデ(B)は、可動ストッパー(3)が、直腸洗浄パイプ(16)またはビデパイプ(38の)排出口(14)のパイプ後部ストッパー(4)側に休止する排出部を完全に塞ぐことにより、または、可動ストッパー(3)を用いることなくシール機構を与えるために、前記排出部を閉じることにより、代替の直腸洗浄パイプ(16)または、ビデパイプ(39)を構成できる。
【手続補正２】
【補正対象書類名】明細書
【補正対象項目名】全文
【補正方法】変更
【補正の内容】
【発明の詳細な説明】
【発明の詳細な説明】
【０００１】
この発明は、衛生目的のためのクローゼットで使用される隠されたビデおよび直腸洗浄装置に関する。
【０００２】
[発明の背景]
直腸洗浄パイプおよび直腸洗浄目的のビデを含むクローゼットは、以前から生産されている。従来技術では、クローゼットに、またはクローゼットのカバーに装着されるいくつかの直腸洗浄およびビデのシステムが周知である。
【０００３】
用により直腸の洗浄およびビデのパイプの外側の表面の汚れは、美的および衛生面で問題を引き起こす。これらの問題を克服するために、異なった原理によって動作する従来技術の移動式の直腸洗浄およびビデのシステムにも問題が存在する。移動式の直腸洗浄パイプおよびビデは、クローゼットにまたはクローゼットのカバーに装着され、そして、使用時、それらは本体内で前進し、そして動作する。したがって、外側の表面の汚染は、大きい程度に防止される。
【０００４】
従来技術では、洗浄パイプかビデパイプの移動は、本体内に位置する電気的なエンジンにより与えられ、このエンジンに接続されたギヤにより励起される。使用時、最初に、電気的エンジンがスイッチオンにされ、そして、次に、洗浄またはビデのパイプが本体から出て来る。使用の最後に、電気的エンジンの助力によって洗浄パイプまたはビデは本体内へ入る。
【０００５】
従来技術の内の別の適用は、洗浄パイプかビデの移動が、洗浄水の力によって完全に与えられるということである。日本特許 JP 2001 193130では、それは、一つの円筒体に位置する２つの部品として直腸洗浄とビデのパイプが使用される。それは、この直腸の洗浄ビデシステムで２個のチャンネルが使用される理由である。その筒状本体上に、５個の異なる水アクセスもある。同じチャンネルにビデと直腸の洗浄があるので、使用の間に、他の未使用のノズルが汚染され、そして、汚れが固まることがある。また、このシステム内で、このシステムを洗う、予備使用と本使用が存在しない。
【０００６】
[発明の目的]
この発明は、使用のために洗浄圧により開放し、かつ、使用後にスプリングにより閉じる過程の間に、このシステム内のビデパイプの清掃のみならず、衛生的な洗浄を行うのに役立つ、隠れた直腸洗浄またはビデシステムの外側のクリーニングを行うことを目的とする。
【０００７】
[発明の詳細な説明]
この発明に関するシステムは、添付の図面および以下の説明で示される。図１に示されるように、水は、クローゼットシステム内に位置する三方弁を通して、言及した直腸洗浄装置(A)に到達する。その水は、主の水アクセス弁から三方弁に来る。異なる供給管(23)を通じて、言及した３方弁の噴出の１つは、直腸洗浄装置(A)に接続され、他の１つは、ビデ(B)(ビデ(B)は図５、６で示される)に接続される。その供給管(23)は、Ｔ分岐(22)により、上側本体の水アクセス(1)に接続され、そして、下側本体の水アクセス(13)に接続される。ユーザは、連続した流れを提供し、かつ、偏向バルブとして機能する三方弁の助けを借りて直腸の洗浄かビデを切り換えることができる。直腸洗浄装置(A)がアクティブなモードであるとき、ビデ(B)は受動のモードとなり、またはその逆である。主の水アクセスバルブが閉じられるとき、三方弁への水流は阻止される。この三方弁は、水流の向きを変える時のみ使用される。
【０００８】
図１に示されるように、発明された直腸洗浄装置(A)は、上部本体の水アクセス(1)および下部本体の水アクセス(13)のように２つの異なる水アクセスを持ち、上部本体(2)および上部本体に結合された下部本体(15)からなる。上部本体(2)にある上部本体の水アクセス(1)は、直腸洗浄装置(A)の移動を確実にし、他方、下部本体(15)にある下部本体の水アクセス(13)は、直腸洗浄装置(A)に洗浄機能を行わせる。
【０００９】
図２および図３に示されるように、直腸洗浄装置(A)の中空の円筒状下部本体(15)は、水圧により下部本体内で前方へ移動可能な洗浄エレメントとして動作する直腸洗浄パイプ(16)、洗浄動作後に直腸洗浄パイプ(16)が受動モードに復帰することに役立ち、かつ、その一部がシールリング(5)のようにシール用途として使用されることに役立つスプリング(6)、移動ストッパー(3)、Oリング (10) およびガスケット (18)を備える。
【００１０】
図２、３および４に示されるように、上記の直腸洗浄装置(A)の下部の中空の円筒本体(15)は、端部にある一つ以上の下部結合突起(17)、他方の端部近くの直径を狭くすることにより生じた下部本体の突起 a (8)、これに加え、スプリング(6)の一つの端部が関係する、他方の端部で直径を第２の狭めにより生じた下部本体の突起 b (9)、直径の狭めにより再度生じた下部本体のストッパー(12)、下部本体のパイプ出口(30)、下部本体突起 b (9)と下部本体のストッパー(12)との間に位置する下部本体のOリング動作表面(20)、下部本体のOリング動作表面(20)にリンクする下部本体水アクセス(13)、スプリング(6)が位置する正面の穴(25)、上部本体近傍の後部の穴(24)、および、下部本体(15)外側の突起の形態をなし、かつ、直腸洗浄装置(A)の装着を容易にする装着用突起(21)からなる。
【００１１】
図２、３および４に示されるように、上記直腸洗浄装置(A)の中空の円筒状上部本体(2)は、一つの閉じた端部および、下部本体(１５)に結合された一つの開放端を有し、上部本体の水アクセス(1)および、上部本体(2)の開口端に位置し、かつ、下部本体結合突起(17)にリンクした一つ以上の上部本体結合突起(31)を含む。
【００１２】
図２、３および４に示されるように、上記の直腸洗浄装置(A)の直腸洗浄パイプ(16)は、排水口(14)、圧力スプリング(6)の端部の一つが関係する直腸洗浄パイプ(16)の中央に位置する突き出したスプリングが位置する表面(7)、Oリングチャンネル(27)、ガスケットハウジング(32)、下部本体の水アクセス(13)から排水口(14)へ流れる水とリンクし、Oリング排出部(27)とガスケットのスロット(27)との間に位置する水アクセス穴(11)、シールリング配置面 a (33)および、シールリング配置面 b (34)、およびパイプ後方のストッパー(4)を備える。
【００１３】
図２、３および４に示されるように、内部にOリング(10)が位置する直腸洗浄パイプ(16)内に位置する直腸洗浄装置(A)のOリングチャンネル(27)は、Oリング動作表面(26)に相当している位置において、直腸洗浄パイプ(16)がアクティブモード(全開)になる時、および、ガスケット(18)が、直腸洗浄パイプ(16)および直腸洗浄パイプ(16)内に位置している、ガスケットハウジング(32)がアクティブ(全開)になるとき、ガスケット(18)が下部本体ストッパー(12)へ進むことを確実にする。
【００１４】
図２、３および４に示されるように、上記直腸洗浄装置(A)の直腸洗浄パイプ(16)の一端にて、突き出たシールリング(5)が位置するシールリング配置面 a (33)と、そのシールリング(5)を固定するシールリング配置面 b (34)がある。可動のストッパー(3)を保持する突起の形態のパイプの後方のストッパー(4)は、シールリング配置面 b (34) と統合され、また、スプリング(6)を通じて、後方に押されることにより、直腸洗浄パイプ(16)が受動になった時、直腸洗浄パイプ(16)が上部本体(2)に関係して留まることを助ける。
【００１５】
図２、３および４に示されるように、上記直腸洗浄装置(A)の移動ストッパーは、この本体を、可動ストッパーの長い部分(35)および、移動ストッパーの短い部分(36)のように、２つの部分に分割し、そして、水が後部通路(24)から排水口(14)へ流れるのを防止することにより、後部の穴(24)での水圧を保護する、長い円筒状本体および移動ストッパーの突き出し(37)を持つ。可動ストッパーの長い部分(35)は、排水口(14)のパイプ後方ストッパー(4)の側に置かれる。
【００１６】
図２、３および４によって内側の構造が示されたクローゼットシステムで使用される直腸の清浄装置(A)の操作方法が以下説明される。
【００１７】
上部本体の水アクセス(1)から来る水が、直腸洗浄パイプ(16)を押すために、そのパイプは、スプリング(6)の力に打ち勝つ必要がある。スプリング(6)の片端は、直腸洗浄パイプ(16)および、下部本体突起 b (9)上の他の端と一体化された、スプリング位置表面(7)に頼る。後部通路(24)に衝突した水は、シールリング(5)により、前部通路(25)を通ることが防止される。可動のストッパー(3)のシール特性およびシールリング(5)の助けにより、圧力の損失なしで、直腸洗浄パイプ(16)の開放および機能する期間に、時間の損失が全くない。上部本体の水アクセス(1)から来る水の圧力によって押し進められた直腸洗浄パイプ(16)は、クローゼットシステムの中に隠された直腸洗浄装置(A)から出て来る。前進する直腸洗浄パイプ(16)内のスプリング付勢面(7)は、下部本体の突起(8)に進み、そして、スプリング(6)は、下部本体の突起 a (8)と、下部本体の突起 b (9)との間で詰められる。前進する直腸洗浄パイプ(16)上のガスケット(18)は、下部本体のストッパー(12)へ進み、下部本体の水アクセス(13)から来る水が、下部本体のパイプ出口(30)から排出されるのを防ぐ。直腸洗浄パイプ(16)がアクティブ(全開)になった時、直腸洗浄パイプ(16)上のOリングチャンネル(27)内に位置するOリングは、自身を下部本体のOリング動作表面(26)内へシール状態で食い込ませることにより、下部水アクセス(13)から来る水が正面の穴(25)へ入るのを防止する。このように、下部本体の水アクセス(13)から来る水は、下部本体水アクセス(13)に合流するアクセス排水穴(11)を通じて、直腸洗浄パイプ(16)に位置する排水口(11)に達する。上部本体水アクセス(1)から入って来る水は、可動ストッパー(3)のために、排水口(14)に来ない。直腸洗浄装置(A)の下部本体(15)に位置する後部通路(24)および前部通路(25)は、シールリング(5)により直接に阻止される。
【００１８】
図１に示されるように、言及された直腸洗浄装置(A)では、水は、供給パイプ(23)を通してT部材に来る。下部本体アクセス(13)にリンクした下部本体流水ホース(29)および、上部本体アクセス(1)にリンクした上部本体の流水ホース(28)は、前記T部材(22)により、互いに結合される。上部水流ホース(28)および上部水アクセス(1)を通過した水は、図４で示したように後部通路(24)に充填することにより、図３のごとく、直腸洗浄パイプ(16)を前方に押す。直腸洗浄パイプ(16)がアクティブ(全開)になる前に、下部本体アクセス(13)にリンクされた下部本体流水ホース(29)内の水は、正に漏出の状態にある。直腸洗浄パイプ(16)がアクティブ(全開)になった時、下部水アクセスの軸および、直腸洗浄パイプ(16)上にある水アクセス穴(11)は交差する。ガスケット(18)の助けにより、下部本体パイプ出口(30)から漏れず、かつ、Oリング(10)の助けにより、正面の通路(25)へ漏れない水は、下部本体アクセス(13)により、水アクセス排水穴(11)および排水口(14)に入り、排水口(14)を介し、直腸洗浄用出口ノズル(20)を通じて出る。このように、正常な水の状況、言い換えれば、直腸の洗浄および洗いのために要求される水が与えられる。
【００１９】
図２に示されるように、前記の直腸洗浄装置(A)では、正常な流れで水が上部本体アクセス(1)に達するや否や、その水は、漏れとして、下部本体アクセス(3)にも達する。直腸洗浄パイプ(16)上に位置する水アクセス排出穴(11)は、全開でないとき、または完全に開放されていない時、下部本体水アクセス(13)の背後に達する。この位置では、スプリングがある正面通路(25)へ漏れる水は、水アクセス排水穴(11)に達し、排水口(14)を通過し、そして、ガスケット(18)が、下部本体ストッパー(12)へ進むことにより、下部本体パイプ出口(30)をまだ閉じていないので、直腸洗浄出口ノズル(20)および直腸洗浄パイプを通じ漏れによって出る。言い換えれば、正常な状態の水流はまだ与えられない。直腸洗浄パイプ(16)での漏れは、直腸洗浄パイプ(16)をスリップ状態にし、そして、下部本体パイプ出口(30)から水を容易にかつ迅速に出させる。この漏出は、また、用法の前に、直腸洗浄パイプ(16)の外側表面の清浄を確実にする。
【００２０】
図３、４に示されるように、前記直腸洗浄装置(A)では、上部水アクセス(1)から来る水のために十分に開く直腸洗浄パイプ(16)は、Oリング(10)の下部本体のOリング動作表面(26)および、ガスケット(18)の下部本体ストッパー(12)の上にシール状態で位置し、そして、直腸洗浄パイプ(16)上の水アクセス穴(11)および下部本体水アクセス(13)が重なった時、下部本体水アクセス(13)から来た水は、排出口(14)を通過して直腸洗浄出口ノズル(20)から排出する。直腸洗浄出口ノズル(20)は、単一の出口であり、広がることなく水が噴出する。
【００２１】
図１に示されるように、閉鎖または、言及された直腸洗浄装置(A)の受動モードへの移行は、水の流れを減じて、供給パイプ(23)から来る水の圧力を遮断することにより、起こる。後部通路(24)内に位置する圧力が減じた水は、スプリング(6)によって後方に押されることにより、上部本体水アクセス(1)および上部本体水流ホース(28)を通じてT部材へ来て、そして、下部本体水流ホース(29)および下部本体の水アクセス(13)へ到達する。圧力スプリング(6)が、直腸洗浄パイプ(16)を後方へ押した時、Oリング(10)は、下部本体Oリングの動作面(26)から移動して離れ、そして、ガスケット(18)は、下部本体ストッパー(12)から移動して離れる。一方、下部本体水アクセス(13)に来た水は、正面通路(25)内に入り、水アクセス排出穴(11)および、排水口(14)を通じて通過することにより、直腸洗浄出口ノズル(20)から放出され、また、その排出の間に、下部本体パイプ出口(30)から漏れる水は、使用後に、直腸洗浄パイプ(16)の外表面の洗浄を確実にする。
【００２２】
図５では、発明されたビデ(B)の部分のアクティブモード時の斜視図が示される。図１〜４に示した直腸洗浄装置(A)および、図５に示されたビデ(B)を構成する共通の機械的な特徴および/または部品が存在する。上部本体水アクセス (1), 上部本体 (2), 可動ストッパー (3), パイプ後方のストッパー (4), シールリング (5), 下部本体の突起 a (8), 下部本体の突起 b (9), Oリング (1 O), 水アクセス穴 (11), 下部本体ストッパー (12), 下部本体の水アクセス (13), 排出口 (14), 下部本体 (15), 下部本体結合用突出部 (17), ガスケット (18), 装着用突起 (21), T部材 (22), 供給パイプ (23), 後部通路 (24), 正面通路(25), 下部本体のOリング動作面 (26), Oリング排出口 (27), 上部本体流水ホース (28), 下部本体流水ホース (29), 下部本体パイプ出口 (30), 上部本体結合突出部 (31), ガスケット溝 (32), シールリング配置面 a (33), シールリング配置面 b (34), 可動ストッパーの長い部分 (35), 可動ストッパーの短い部分 (36), 可動ストッパーの突き出し部 (37) のごとき上述した機械的特徴および/または部品が、直腸洗浄装置(A)およびビデ(B)で共に同じ目的のために使用される。
【００２３】
ビデ(B)および直腸洗浄装置(A)の操作法は、同じであり、また、ビデ(B)および直腸洗浄装置(A)を構成するすべての機械的な部品はいくつかの違いを除いて同じである。図５に示すように、直腸洗浄装置(A)と異なるビデ(B)では、ビデパイプ(39)の中間に、直腸洗浄パイプ(16)内と似て、突き出したスプリング位置面(7)が存在しない。ビデ(B)では、ビデスプリング(40)は、シールリング配置面 a (33)の正面通路(25)に見えるビデスプリング付勢面(33)に付勢している。これに加えて、排水する直腸洗浄パイプ(15)およびビデパイプ(39)の長さは異なる。ビデパイプ(29)上のビデスプリング付勢面(38)は、直腸洗浄パイプ(16)内のスプリング位置面(7)の背後を支持するので、ビデパイプ(39)は、は直腸洗浄パイプ(16)の移動より前方へ移動する。直腸洗浄装置(A)とビデ(B)との間の別の違いは、ビデ(B)のビデスプリング(40)が直腸洗浄装置(A)内のスプリング(6)より長いことである。また、ビデ出口ノズル(19)の直腸洗浄出口ノズル(20)との違いは、ビデ出口ノズル(19)が、角度および、小さい穴のノズルによる水ジェットを持つことである。直腸洗浄出口ノズル(20)は、単一出口の形態を有し、広がることなく水が噴出する。
【００２４】
使用の間、直腸洗浄パイプ(16)およびビデパイプ(39)が十分に出た時、下部本体の水アクセス(13)から入る水は、水アクセス排水穴(11)を通過し、そして、直腸洗浄装置(A)内の直腸洗浄出口ノズル(20)から排水され、その水は、ビデ内のビデ出口ノズル(19)から排出される。直腸洗浄装置(A)またはビデ(B)は、通常の期間の排水、言い換えれば、この位置においてのみ洗浄および洗いに要求される流水を確実にすることにより、通常の洗浄を実現する。この位置では、下部本体のパイプ出口(30)からの漏れがないので、直腸洗浄パイプ(16)または、ビデパイプ(39)の外表面は洗浄できない。直腸洗浄パイプ(16)またはビデパイプ(39)の外表面の洗浄動作は、直腸洗浄パイプ(16)またはビデパイプ(39)が下部本体(15)から出て来るか、または、下部本体(15)内に入る間に実現される。
【００２５】
図６では、クローゼットへ並列にして装着した時のビデ(B)および直腸洗浄装置(A)の斜視図が示される。図７では、ビデ(B)と直腸清浄装置(A)がはめ込まれた形態での下部本体が示される。下部本体(15)に対するはめ込まれた形態の下部本体(44)の違いは、下部本体バイプ出口(30)の少なくとも一方、好ましくは両側に、固定用排水口(41)が存在することである。
【００２６】
図８では、ガイドレールがある直腸洗浄パイプ(45)が示される。上述の直腸洗浄パイプ(16)に対し、ガイドレールがある直腸洗浄パイプ(45)の違いは、ガイドレールがある直腸洗浄パイプ(45)の少なくとも一方、好ましくは両側に位置する、ガイドレールの存在である。
【００２７】
また、図８に示した羽状の形態がある直腸洗浄パイプ(45)では、スプリング付勢面(7)およびスプリング配置突起(43)が存在し、それらの上には、突起状態の形態で、Oリングチャンネル(27)の間に位置する一つ以上のスプリング(6)が位置する。そのスプリングの突起(43)は、圧力スプリング(6)およびガイドレールがある直腸洗浄パイプ(45)との間の直径差に許容するように構成される。言い換えれば、スプリング(6)の内径およびスプリング配置突起(43)の外径の間の許容通過スペースを構成することにより、スプリング(6)の軸と、ガイドレールがある直腸洗浄パイプ(45)とが重なる。その結果、ガイドレールがある直腸洗浄パイプ(45)に基づくスプリング(6)の中心軸のゆがみを排除することにより、スプリングは放射方向に移動し、そして、スプリング(6)が位置する表面内、下部本体突起 b (9)内、およびスプリング付勢面(7)における動作の間の中心軸のゆがみによるノイズが発生するのが防止され、そのためより容易に動作する。ガイドレールがある直腸洗浄パイプ(45)から離れたスプリング配置突起(43)は、選択的に、直腸洗浄パイプ(16)に適用できる。ガイドレールがある直腸洗浄パイプ(45)は、図８に示すようにスプリング配置突起(43)を用いずに構成できる。
【００２８】
図９では、溝形状を持つ下部本体(44)およびそのインストールに続くガイドレールを持つ直腸洗浄パイプ(45)の位置が示される。ガイドレール(42)は、装着用溝(41)内に位置する。装着用溝(41)は、ガイドレールがある直腸洗浄パイプ(45)の移動の間に、ガイドレール(42)の助けによって、よりよく位置する。図７〜９では、溝形状を持つ下部本体(44)と、ガイドレールのある直腸洗浄パイプ(45)は、下部本体(15)および直腸洗浄パイプ(16)に対し交互に展開される機械的な部品である。替わりに、直腸洗浄装置を、直腸洗浄装置(A)を変更することなく、溝形状のある下部本体(44)およびガイドレールのある直腸洗浄パイプ(45)を用いて形成できる。
【００２９】
また、ガイドレールのある直腸洗浄パイプ(45)においても同様に、ビデパイプ(39)の一つの側部好ましくは両側にガイドレール(42)を用いて替わりのビデパイプを構成できる。装着用溝(41)内にガイドレール(42)が位置する箇所に、溝形状を有する下部本体(44)および、上述した代替のビデパイプを用いることにより、代替のビデ(B)を、変形することなく構成できる。
【００３０】
スプリング配置突起(43)は、ビデ(B)にも使用できる。そのスプリング配置突起(43)は、ビデスプリング付勢面(38)およびOリングチャンネル(27)間のビデパイプ(39)または羽状形状を持つビデパイプ上に構成される。
【００３１】
また、直腸洗浄装置(A)およびビデ(B)内に使用される可動ストッパー(3)の代替として、直腸洗浄パイプ(16)およびビデパイプ(39)内の排水口(14)の排出口後方のストッパー(4)で可動ストッパー(3)が位置する箇所を完全に塞ぐことにより、または、閉塞を作ることにより、可動ストッパー(3)および代替の直腸洗浄パイプ(16)を使用することなく、シールを得ることができる。
【００３２】
ここで述べた好ましい直腸洗浄装置(A)およびビデ(B)は、この発明の保護範囲を限定しない。この発明の説明の方向で実現される好ましい直腸洗浄装置(A)およびビデ(B)への変形は、この発明の保護範囲内あると評価されるべきである。
【図面の簡単な説明】
【００３３】
【図１】直腸洗浄装置の斜視図
【図２】受動モードでの直腸洗浄装置の一部の斜視図
【図３】能動モードでの直腸洗浄装置の一部の斜視図
【図４】能動モードでの直腸洗浄装置の一部の側面図
【図５】能動モードでのビデの一部の斜視図
【図６】クローゼットに並べて装着されたビデおよび直腸の洗浄装置の斜視図
【図７】はめ込まれた形態のビデまたは直腸の清浄装置の下側本体の透視図
【図８】伸びた形態の直腸洗浄パイプの斜視図
【図９】はめ込まれた形態のビデまたは直腸の清浄装置の下側本体および、装着後の伸びた形態の直腸洗浄パイプの透視図
【符号の説明】
【００３４】
A：直腸洗浄装置
B：ビデ 
１：上部本体の水アクセス
２：上部本体
３：可動ストッパー
４：パイプ後方ストッパー
５：シールリング
６：スプリング
７：スプリング付勢面
８：下部本体突起 a
９：下部本体突起 b
１０： Oリング
１１：水アクセス穴
１２：下部本体ストッパー
１３：下部本体の水アクセス
１４：排水口
1 5：下部本体
１６：直腸洗浄パイプ
１７：下部本体接合突起
１８：ガスケット
１９：ビデ出口ノズル
２０：直腸洗浄出口ノズル
２１：装着用支柱
２２：T部材
２３：供給パイプ
２４：後部通路
２５：前部通路
２６：下部本体Oリング動作面
２７：Oリングチャンネル
２８：上部本体の水流ホース
２９：下部本体の水流ホース
３０：下部本体のパイプ出口
３１：上部本体結合ラグ
３２：ガスケットハウジング
３３：シールリング配置面 a
３４：シールリング配置面 b
３５：可動ストッパーの短い部分
３６：可動ストッパーの長い部分
３７：可動ストッパーの突起
３８：ビデスプリング付勢面
３９：ビデパイプ
４０：ビデスプリング
４１：装着用溝
４２：ガイドレール
４３：スプリング配置突起
４４：溝形状のある下部本体
４５：ガイドレールのある直腸洗浄パイプ
【国際調査報告】
2007530842.tif 000012
2007530842.tif 000013